(57)【要約】      （修正有）【課題】狭隘な場所や地域の傾斜地に宅地を造成する際に、より施工しやすい構成で土木工事でありながら意匠性の高い仕上がりを有している擁壁パネルの積層構造を提供する。【解決手段】擁壁を構成する長方形型の擁壁ＰＣパネル１は、擁壁ＰＣパネルの四隅で上下何れか一方の両側に水抜き穴を形成する円パイプ四分の一形状の切り欠き部８ａ、８ｂを構成するとともに、擁壁ＰＣパネルの中央裏面突部２内に親杭の上部が構成するガイド用鉄骨材がゆとりをもって挿入できる貫通穴３を有し、貫通穴の内部はその四隅を比較的大きなアール形状４を構成するとともに、貫通穴は貫通穴の上下から中心部に向かって四周から狭まるくの字形状部５を有しており、ガイド用鉄骨材に擁壁ＰＣパネルの貫通穴を通して擁壁ＰＣパネルを積層し、擁壁を構築する。【選択図】図１
2012041803.tif 000002
【特許請求の範囲】
【請求項１】
擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄骨材がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄骨材を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うことを特徴とする擁壁パネル。
【請求項２】
擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄筋がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄筋を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うことを特徴とする擁壁パネル。
【請求項３】
擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄骨材及び鉄筋がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄骨材及び鉄筋を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うことを特徴とする擁壁パネル。
【請求項４】
擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭基部に連通する貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルを複数枚積層した状態で上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うことを特徴とする擁壁パネル。
【請求項５】
擁壁を構成する長方形型の擁壁ＰＣパネルは、擁壁ＰＣパネルの四隅で上下何れか一方の両側に水抜き穴を形成する円パイプ四分の一形状の切り欠き部を構成しており、該擁壁ＰＣパネルは積層時に夫々の擁壁ＰＣパネルの上下を互い違いに組み合わせて積層して擁壁ＰＣパネルを縦二枚、横二枚積層した時に背面排水用の水抜き穴を一つずつ形成可能であり、また擁壁を構成する長方形型の擁壁ＰＣ板は中央裏面突部内に親杭の上部が構成するガイド用鉄骨材や鉄筋がゆとりをもって挿入できる貫通穴や親杭基部に連通する貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルを複数枚積層した状態で上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱となるように施工することを特徴とする擁壁ＰＣパネルの施工方法。
【請求項６】
前記、擁壁ＰＣパネルの四隅で上下何れか一方の両側に水抜き穴を形成する円パイプ四分の一形状の切り欠き部は、該擁壁ＰＣパネルの積層時に夫々の擁壁ＰＣパネルの上下を互い違いに組み合わせて積層して擁壁ＰＣパネルを縦二枚、横二枚積層した時に背面排水用の水抜き穴を一つずつ形成可能であり、該水抜き穴は塩化ビニールやステンレスパイプを挿入して擁壁ＰＣパネルの外部側に水勾配を有して挿着できるよう擁壁ＰＣパネルの外部側より内部側に沿って末広がりになる形状を有していることを特徴とする請求項１乃至請求項５に記載された擁壁パネル。
【発明の詳細な説明】
【技術分野】
【０００１】  本発明は、傾斜地において、安全な宅地等を造成するために用いられる擁壁パネルの形状、及びその擁壁パネルを用いた擁壁の積層方法に関するものである。
【背景技術】
【０００２】  近年、土地を有効に活用するために、傾斜地の利用は益々盛んである。傾斜地に設けられる宅地や道路では、特に集中豪雨や地震による地盤の崩落を防止できる擁壁を設けて安全な宅地の造成や、道路の造成が求められている。【０００３】  傾斜地の崩落を防止するための従来の擁壁工法は、石やブロック等の擁壁材料を材料の重みで傾斜面にもたれ掛った状態で擁壁を構築する方法や、傾斜地の土を掘削した後に当該部分に擁壁を構築して土を埋め戻し、該埋め戻した土の重みで構築した擁壁自体を安定化させる方法、並びにＨ型鋼等のように凹部嵌合溝を有する親杭を８０〜１５０ｃｍ程度の間隔で打設して傾斜面の掘削に伴い横矢板を前記親杭間の凹部嵌合溝に嵌着して擁壁を構築する方法等が一般的である。【０００４】  然しながら、上述した従来の擁壁工法のうち、傾斜地の土を掘削した後に当該部分に擁壁を構築して土を埋め戻して、該埋め戻した土の重みで構築した擁壁自体を安定化させる方法に於いては、土の移動量が多く地形を大きく改変させてしまうので、自然環境に及ぼす影響が大きい大規模な工事となる場合が多い。【０００５】  また、Ｈ型鋼等のように凹部嵌合溝を有する親杭を８０〜１５０ｃｍ程度の間隔で打設して傾斜面の掘削に伴い横矢板を前記親杭間の凹部嵌合溝に嵌着して擁壁を構築する方法においては、支柱となるＨ鋼の見付面は擁壁外部に突出して擁壁の支持枠を構成するものであり、支柱ピッチ毎に突出した支持枠は意匠性が全くない。前記Ｈ鋼からなる支柱は、溶融亜鉛メッキ色であったり、スチール錆色で工事途中の現場や仮設工事の雰囲気を有しており、意匠性を高めるためには、新たな費用をかけて擁壁全体を化粧材にて覆うことを真剣に検討することも生じている。【０００６】  そして、上述したような、擁壁施工現場で、親杭や支柱、横矢板とのジョイント部材等には鉄部材が使用され、該鉄部材が外部に露出しているような構成の擁壁工は、耐候性を重視する最近の擁壁工法において仮設工事的な評価しか得られない。【０００７】  更に、従来の擁壁工法では、概して工事が大規模で、大型重機を用いての効率化や、迅速な施工が求められてきたが、最近では、小型重機を用いての施工が必要となる狭隘な場所や地域での擁壁工事も多くなってきた。【０００８】  本発明は、狭隘な場所や地域での擁壁工事においても、小型重機を用いて施工が効率良く、且つ迅速に行える形状を有した擁壁パネルを提供し、該擁壁パネルは適切な背面排水機能を有していて土圧の低減を図れる他、擁壁パネルと支柱との取付部分自体の強度も効率良く強化した形状を有している擁壁パネルを提供するものである。
【発明の概要】
【発明が解決しようとする課題】
【０００９】  本発明が解決しようとする課題は、プレキャスト・コンクリート製の従来の擁壁ＰＣパネルにおいて、擁壁ＰＣパネルを親杭により支持する際に、その支持間隔が一般的に８０〜１５０ｃｍと小さく施工効率が良くないものであった点を改良して、夫々の擁壁ＰＣパネルをパネル中央の強度的に補強された貫通穴で支持することにより支柱を中心に左右均等に土圧がかかるように構成して、擁壁ＰＣパネルピッチを２００ｃｍと大きく拡大した。そしてこの改良された擁壁ＰＣパネルのパネル幅は、狭隘な場所でも小型重機を用いて施工出来る最良の大きさを提供するものである。【００１０】  本発明は、プレキャスト・コンクリートにて、より製作し易い形状と擁壁ＰＣパネルの強度を追求した擁壁ＰＣパネルを提供するもので、特に本発明は、擁壁ＰＣパネルを複数枚積層することにより水抜き穴を形成できる形状を有した擁壁ＰＣパネルを製作して適切な背面排水を行い土圧の低減を図る構成に特徴があり、本発明は、前記擁壁ＰＣパネルの構成にて、迅速、且つ、効率の良い擁壁パネルの構築工事が可能となり、土木工事でありながら意匠性の高い仕上がりを有している擁壁ＰＣパネルの積層構造、及びその施工方法を提供するものである。【００１１】  また、本発明において、擁壁ＰＣパネル中央の貫通穴に通しで挿入される親杭上部の支柱は、初め親杭上部に伸びたＨ鋼や鉄筋が擁壁ＰＣパネルの積層ガイドとなり、擁壁ＰＣパネルの積層作業を容易にして施工の効率を高め、擁壁ＰＣパネルの積層作業終了後、擁壁パネル中央の貫通穴にコンクリートを詰めて強固に連結した支柱を構成するもので、支柱や、擁壁ＰＣパネルのジョイント部分に鉄部の露出部分がなく、耐候性に優れ、意匠性の高い擁壁を提供可能である。【００１２】  そして、本発明の擁壁工法では、あらかじめ量産可能なプレキャスト・コンクリート製の擁壁ＰＣパネルの積層構造を提供するものであり、崩落現場においても、仮設工事を施す必要もなく、本体工事の施工が直接可能であることから、無駄を省いた環境にやさしいエコ対応技術を提供するものである。
【課題を解決するための手段】
【００１３】  本発明において、擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄骨材がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄骨材を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うものである。【００１４】  本発明において、擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄筋がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄筋を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うものである。【００１５】  本発明において、擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭の上部が構成するガイド用鉄骨材及び鉄筋がゆとりをもって挿入できる貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルの貫通穴にガイド用鉄骨材及び鉄筋を挿入することで擁壁ＰＣパネルを複数枚積層した状態を構築し上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うものである。【００１６】  また、本発明において擁壁を構成する長方形型の擁壁ＰＣパネルは、擁壁ＰＣパネルの四隅で上下何れか一方の両側に水抜き穴を形成する円パイプ四分の一形状の切り欠き部を構成するとともに、該擁壁ＰＣパネルの中央裏面突部内に親杭基部に連通する貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルを複数枚積層した状態で上部から前記貫通穴にコンクリートを打設すると四周に凹凸形状を有する支���が構築され、該支柱が積層された夫々の擁壁ＰＣパネルの貫通穴を貫いて擁壁ＰＣパネルの支柱になり、擁壁ＰＣパネルの積層を行うものである。【００１７】  そして、本発明において、擁壁を構成する長方形型の擁壁ＰＣパネルは、擁壁ＰＣパネルの四隅で上下何れか一方の両側に水抜き穴を形成する円パイプ四分の一形状の切り欠き部を構成しており、該擁壁ＰＣパネルは積層時に夫々の擁壁ＰＣパネルの上下を互い違いに組み合わせて積層して擁壁ＰＣパネルを縦二枚、横二枚積層した時に背面排水用の水抜き穴を一つずつ形成可能であり、また擁壁を構成する長方形型の擁壁ＰＣ板は中央裏面突部内に親杭の上部が構成するガイド用鉄骨材や鉄筋がゆとりをもって挿入できる貫通穴や親杭基部に連通する貫通穴を有し、該貫通穴の内部はその四隅を比較的大きなアール形状を構成するとともに、該貫通穴は貫通穴の上下から中心部に向かって四周から狭まる形状を有しており、前記擁壁ＰＣパネルを複数枚積層した状態で上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱となるように施工するものである。【００１８】  更にまた、本発明において、前記、擁壁ＰＣパネルの四隅で上下何れか一方の両側に水抜き穴を形成する円パイプ四分の一形状の切り欠き部は、該擁壁ＰＣパネルの積層時に夫々の擁壁ＰＣパネルの上下を互い違いに組み合わせて積層して擁壁ＰＣパネルを縦二枚、横二枚積層した時に背面排水用の水抜き穴を一つずつ形成可能であり、該水抜き穴は塩化ビニールやステンレスパイプを挿入して擁壁ＰＣパネルの外部側に水勾配を有して挿着できるよう擁壁ＰＣパネルの外部側より内部側に沿って末広がりになる形状を有していることを特徴としている。
【発明の効果】
【００１９】  本発明は、従来の擁壁ＰＣパネルにおいて、擁壁ＰＣパネルを親杭により支持する際に、その支持間隔が一般的に８０〜１５０ｃｍと小さく施工効率が良くないものであった点を改良して、夫々の擁壁ＰＣパネルをパネル中央の強度的に補強された貫通穴で支持することにより、該支柱を中心に左右均等に土圧がかかるように構成して擁壁ＰＣパネルピッチを２００ｃｍと大きく拡大した。そしてこの改良された擁壁ＰＣパネルのパネル幅は、狭隘な場所でも小型重機を用いて施工出来る最良の大きさを提供可能とした。【００２０】  本発明は、プレキャスト・コンクリートにて、より製作し易い形状と擁壁ＰＣパネルの強度を追求した擁壁ＰＣパネルを提供するもので、特に本発明は、擁壁ＰＣパネルを複数枚積層することにより水抜き穴を形成できる形状を有した擁壁ＰＣパネルを製作して適切な背面排水を行い土圧の低減を図る構成に特徴があり、本発明は、前記擁壁ＰＣパネルの構成にて、迅速、且つ、効率の良い擁壁パネルの構築工事が可能となり、土木工事でありながら意匠性の高い仕上がりを有している擁壁ＰＣパネルの積層構造、及びその施工方法を提供可能とした。【００２１】  また、本発明において、擁壁ＰＣパネル中央の貫通穴に通しで挿入される親杭上部の支柱は、初め親杭上部に伸びたＨ鋼や鉄筋が擁壁ＰＣパネルの積層ガイドとなり、擁壁ＰＣパネルの積層作業を容易にして施工の効率を高め、擁壁ＰＣパネルの積層作業終了後、擁壁パネル中央の貫通穴にコンクリートを詰めて強固に連結した支柱を構成するもので、支柱や、擁壁ＰＣパネルのジョイント部分に鉄部の露出部分がなく、耐候性に優れ、意匠性の高い擁壁を提供可能とした。【００２２】    そして、本発明の擁壁工法では、あらかじめ量産可能なプレキャスト・コンクリート製の擁壁ＰＣパネルの積層構造を提供するものであり、崩落現場においても、仮設工事を施す必要もなく、本体工事の施工が直接可能であることから、無駄を省いた環境にやさしいエコ対応技術を提供するものである。
【図面の簡単な説明】
【００２３】
【図１】（Ａ）本発明に使用される擁壁ＰＣパネルの形状を示す平面図である。
【図１】（Ｂ）本発明に使用される擁壁ＰＣパネルの形状を示す正面図である。
【図２】（Ａ）本発明の擁壁ＰＣパネルを４枚積層した状態を示す正面図である。
【図２】（Ｂ）図２（Ａ）の要部側面図である。
【図３】（Ａ）本発明の擁壁ＰＣパネル中央裏面に設けられる貫通穴の形状を示す断面図である。
【図３】（Ｂ）本発明の擁壁ＰＣパネル貫通穴が造るコンクリート塊の説明図である。
【図３】（Ｃ）本発明の擁壁ＰＣパネル貫通穴が造るコンクリート塊の説明図である。
【図４】（Ａ）本発明の擁壁ＰＣパネル貫通穴に打設されるコンクリート支柱の形状説明図である。
【図４】（Ｂ）図４（Ａ）の想像線内拡大説明図である。
【図４】（Ｃ）本発明の擁壁ＰＣパネル貫通穴に打設されるコンクリート支柱の説明図である。
【図５】（Ａ）本発明の擁壁ＰＣパネル貫通穴に打設されるコンクリート支柱の形状説明図である。
【図５】（Ｂ）図５（Ａ）における変形の形を示す説明図である。
【図６】（Ａ）本発明の擁壁ＰＣパネルを立設する支柱の施工手順説明図である。
【図６】（Ｂ）本発明の擁壁ＰＣパネルを打設する支柱の施工手順説明図である。
【図６】（Ｃ）本発明の擁壁ＰＣパネルを立設する支柱の施工手順説明図である。
【図６】（Ｄ）本発明の擁壁ＰＣパネルを立設する支柱の施工手順説明図である。
【図６】（Ｅ）本発明の擁壁ＰＣパネルを立設する支柱の施工手順説明図である。
【図７】本発明の擁壁積層工事を説明する断面図である。
【図８】本発明の擁壁工事例を説明する斜視説明図である。
【発明を実施するための形態】
【００２４】  本発明において、擁壁を構成する長方形型の擁壁ＰＣパネルは、中央裏面突部内に親杭の上部が構成するガイド用鉄骨材等がゆとりをもって挿入できる貫通穴を有し、該貫通穴の内部は、その四隅を比較的大きなアール形状を構成して貫通穴周囲の強度を高めるとともに、該貫通穴は貫通穴の上下から中心部に向かって四周から狭まる形状を有しており、前記擁壁ＰＣパネルの貫通穴を予め立設したガイド用鉄骨材や鉄筋柱へ挿入することで擁壁ＰＣパネルを複数枚積層した状態を構築することができ、後に上部から前記貫通穴にコンクリートを打設すると四周に凹凸形状を有する支柱が構築され、該支柱が積層された夫々の擁壁ＰＣパネルの貫通穴を貫いて擁壁ＰＣパネルの支柱になり、擁壁ＰＣパネルの積層を行うものである。
【００２５】  また、上記擁壁を構成する長方形型の擁壁ＰＣパネルは、擁壁ＰＣパネルの四隅で上下何れか一方の両側に水抜き穴を形成する円パイプ四分の一形状の切り欠き部を構成しており、該擁壁ＰＣパネルは積層時に夫々の擁壁ＰＣパネルの上下を互い違いに組み合わせて積層して擁壁ＰＣパネルを縦二枚、横二枚積層した時に背面排水用の水抜き穴を一つずつ形成可能であり、水抜き穴を形成できる形状を有した擁壁ＰＣパネルは適切な背面排水を予め決められたピッチ毎で行うことで、擁壁ＰＣパネルの土圧の低減を図ることが可能であり、本発明は、前記擁壁ＰＣパネル用の支柱の構成や、擁壁ＰＣパネルが積層された状態で水抜き穴を形成できる構造としたことにより、迅速、且つ、効率の良い擁壁ＰＣパネルの構築工事が可能となり、土木工事でありながら意匠性の高い仕上がりを有している擁壁ＰＣパネルの積層構造、及びその施工方法を提供するものである。
【００２６】  而して、夫々の擁壁ＰＣパネルは、四周に凹凸形状を有する支柱により強固に連結され、また夫々の擁壁ＰＣパネルは中央裏面で支持されることから、前記支柱を中心に左右均等の土圧がかかるように構成され、パネルピッチ（パネル幅）を２００ｃｍ前後に構成でき、また、擁壁ＰＣパネルの高さは、１００ｃｍから７０ｃｍ前後に設定して、ＰＣ工場で量産可能である。
【００２７】  また、上記支柱構成枠の基礎となる親杭は、通常、杭穴を掘削して、Ｈ型鋼を挿入しフープ筋を挿入した後、コンクリートを打設して形成するもので、Ｈ型鋼の代わりにＨ型鋼を骨材としたＰＣ板角柱を挿入することで、地上面にガイド用となるＨ型鋼を立てることができる。
【００２８】  前記擁壁を構成する長方形型の擁壁ＰＣパネルは、中央裏面に親杭の上部が構成するガイド用鉄骨材、即ち、Ｈ型鋼がゆとりをもって挿入できる貫通穴を有していることから、ガイド用鉄骨材を利用して、小型重機にて擁壁ＰＣパネルを積層する。
【００２９】  そして、前記、貫通穴の内部はその中心部に向かって四周から狭まる形状を有しており、前記擁壁ＰＣパネルを複数枚積層した状態で上部からコンクリートを打設すると四周に凹凸形状を有する支柱が構築され、該支柱が積層された夫々の擁壁ＰＣパネルの貫通穴を貫いて擁壁ＰＣパネルの支持支柱になることで、擁壁ＰＣパネルの積層が行えるものである。
【００３０】  従って、本発明は、施工しやすい構成で、土木工事でありながら擁壁ＰＣパネルは、その表面に凹凸模様や凹部切り込み目地で布積み模様、煉瓦積み模様、そして矢羽積み模様を任意に構成でき、意匠性の高い仕上がりを有した擁壁パネルの積層構造、及びその施工方法を提供することができる。
【実施例１】
【００３１】  図１及び図２は、本発明の実施例１を説明するものであり、図１（Ａ）は擁壁パネルの形状を示す平面図、図１（Ｂ）は擁壁パネルの正面図を示している。図１（Ａ）、（Ｂ）において、１はプレキャスト・コンクリート製の擁壁ＰＣパネル、２は擁壁ＰＣパネル１の中央裏面に設けられた突部、３は擁壁ＰＣパネル突部２内に構成される支柱形成用の貫通穴、該貫通穴３の内部形状は、その四隅を比較的大きなアール形状部４を構成して貫通穴３の強度を強化するとともに、該貫通穴３は貫通穴の上下から中心部に向かって四周から狭まるくの字形状部５を有している。尚、６はＰＣ施工時に使用される施工用デーハ、７ａ、７ｂは擁壁ＰＣ板施工時に他の擁壁ＰＣパネルとの嵌合に使用されるガイドピン、８ａ、８ｂは水抜き穴９を構成する切り欠き部である。【００３２】  図２（Ａ）は本発明の擁壁ＰＣパネル１を１ａ、１ｂ、１ｃ、１ｄと４枚積層した状態を示す正面図で、図２（Ｂ）は図２（Ａ）の要部側面図で、前記水切り穴９の構成を示している。【００３３】  而して、擁壁ＰＣパネル１ａ、１ｂ、１ｃ、１ｄの四隅で上下何れか一方の両側に水抜き穴９を形成する円パイプ四分の一形状の切り欠き部８ａ、８ｂは、該擁壁ＰＣパネル１ａ、１ｂ、１ｃ、１ｄの積層時に夫々の擁壁ＰＣパネルの上下を互い違いに組み合わせて積層して、擁壁ＰＣパネル１を縦二枚、横二枚積層した時に背面排水用の水抜き穴９を一つずつ形成可能であり、該水に抜き穴９は、塩化ビニールやステンレス製のパイプ１０を挿入して擁壁ＰＣパネルの背面側で裏込めモルタル１１を介して固定し、外部側に向けて水勾配を有して設置できるように擁壁ＰＣパネル１ａ、１ｂ、１ｃ、１ｄの外部側より内部側（背面側）に沿って末広がりになる形状を有している。【００３４】  実施例１は、擁壁ＰＣパネル１ａ、１ｂ、１ｃ、１ｄ等の組み合わせにより、上記水抜き穴９を形成できる形状を有した擁壁ＰＣパネル１を製作して適切な背面排水を予め決められたピッチ毎で行うことで、擁壁ＰＣパネル１に加わる土圧の低減を図ることが可能であり、実施例１は、前記擁壁ＰＣパネル１の中央裏面に設けられた突起部２内に設けられた支柱構成用の貫通穴３の構成や、擁壁ＰＣパネル１ａ、１ｂ、１ｃ、１ｄが積層された状態で水抜き穴９を形成できる構造としたことにより、迅速、且つ、効率の良い擁壁ＰＣパネルの構築工事が可能となり、土木工事でありながら意匠性の高い仕上がりを有している擁壁ＰＣパネルの積層構造、及びその施工方法を提供するものである。
【実施例２】
【００３５】  図１（Ａ）（Ｂ）、図３（Ａ）（Ｂ）（Ｃ）は、実施例２を説明するものであり、図１（Ａ）は擁壁パネルの形状を示す平面図、図１（Ｂ）は擁壁パネルの正面図を示している。図１（Ａ）（Ｂ）において、１はプレキャスト・コンクリート製の擁壁ＰＣパネル、２は擁壁ＰＣパネル１の中央裏面に設けられた突部、３は擁壁ＰＣパネル突部２内に構成される支柱形成用の貫通穴、該貫通穴３の内部形状は、その四隅を比較的大きなアール形状部４を構成して該部分の強度を強化するとともに、該貫通穴３は貫通穴の上下から中心部に向かって四周から狭まるくの字形状部５を有している。尚、６はＰＣ施工時に使用される施工用デーハ、７ａ、７ｂは擁壁ＰＣ板施工時に他の擁壁ＰＣパネルとの嵌合に使用されるガイドピン、８ａ、８ｂは水抜き穴９を構成する切り欠き部である。【００３６】  図３（Ａ）は、図１（Ａ）の貫通穴３の内部形状例を示す断面図であり、該貫通穴３の内部形状は、その四隅を比較的大きなアール形状部４を構成するとともに、その中心部に向かって四周から狭まるくの字形状部５を有した形状を示している。
尚、図中１２は前記擁壁ＰＣパネル１の突起部２が形成する貫通穴四周枠である。【００３７】  本発明において、擁壁を構成する夫々の長方形型擁壁ＰＣパネル１は、中央裏面部の突起部２に親杭の上部が構成するガイド用鉄骨材がゆとりをもって挿入できる貫通穴３を有し、該貫通穴３の内部はその中心部に向かって四周から狭まるくの字形状部５を有しており、前記擁壁ＰＣパネル１を複数枚積層した状態で上部からコンクリートを打設すると四周に凹凸形状を有する支柱が構築され、該支柱が積層された夫々の擁壁ＰＣ板１の貫通穴３を貫いて擁壁ＰＣパネル１の支柱になることで、擁壁ＰＣパネルの積層を行うものである。【００３８】  而して、図３（Ｂ）は前記貫通穴内部の貫通穴３にコンクリートを詰め込んだ時にできる支柱形状部材１３、即ち、コンクリートの塊１４の一部を示すもので、当該コンクリートの塊１４は、上下に引張り力Ｐが加わると断面積が最も小さい部分で、図３（Ｃ）の如くちぎれてしまう。【００３９】  然しながら、図４（Ａ）（Ｂ）（Ｃ）に於いて、本発明における支柱形成部材１３は、擁壁ＰＣ板１の貫通穴四周枠１２が、支柱構成型枠材となり支柱形成部材１３を補強するように覆っている。従って、図４（Ａ）に示す如く支柱形成部材１３と貫通穴四周枠１２との接地面１５では、図４（Ｂ）のような圧縮力１６が互いに発生しているので、図４（Ｃ）のように擁壁ＰＣ板１の貫通穴四周枠１２を１２ａ、１２ｂの如く重ねると圧縮耐力効果により、引張り力Ｐは非常に強力なものになる。【００４０】  図５（Ａ）は親杭１７上に設けられた基台１８上に親杭１７に支持されたガイド用鉄骨材１９（例えばＨ型鋼材）が立設されており、該ガイド用鉄骨材１９にガイドされて、各擁壁ＰＣ板１ａ、１ｂ、１ｃ・・・等が積層されている。そして、各擁壁ＰＣ板１ａ、１ｂ、１ｃ・・・等の中央裏面部の突起部２に設けられた貫通穴３ａ、３ｂ、３ｃ・・・等には、上部からコンクリート２０が打設され、擁壁２１が構築されている。【００４１】  而して、図５（Ａ）における擁壁ＰＣ板１ａ、１ｂ、１ｃ・・・の貫通穴３ａ、３ｂ、３ｃ・・・は、夫々、その中心部に向かって四周から狭まるくの字形状５を有した形状を示しており、全体として凹凸立面形状を有しており、擁壁２１として構築された時点で土圧２２を受け、図５（Ｂ）の如く変形動作２３を受けても、各擁壁ＰＣ板１ａ、１ｂ、１ｃ・・・と貫通穴３ａ、３ｂ、３ｃ・・・との圧縮耐力効果で擁壁２１は維持可能である。【００４２】  図６（Ａ）乃至図６（Ｅ）は、本発明の擁壁パネル積層手順を説明するものであり、図６（Ａ）乃至図６（Ｅ）において、１７は親杭、１８は基台、１９は親杭１７に立設されたガイド用鉄骨材、１ａ、１ｂ、１ｃ・・・は擁壁ＰＣパネル、３ａ、３ｂ、３ｃ・・・は貫通穴、２４は下部地盤、２５は上部地盤、２６は腰つなぎ部材、２７は頭つなぎ部材を示している。【００４３】  図６（Ａ）は下部地盤２４に植設された親杭１７にガイド用鉄骨材１９を建て込んだ工程をしめしている。図６（Ｂ）は親杭１７の杭頭部分の基台１８を設け、該基台１８上に擁壁ＰＣ板１ａ、１ｂ、１ｃを積層した状態を示しており、前記、ガイド用鉄骨材１９は、擁壁ＰＣ板１ａ、１ｂ���１ｃの構築をガイドする役割を果たしている。【００４４】  図６（Ｃ）は、擁壁ＰＣ板１ａ、１ｂ、１ｃが積層されて構成された連通する貫通穴３ａ、３ｂ、３ｃにコンクリート２０を充填し、並列する各ガイド用鉄骨材１９を横つなぎで補強する腰つなぎ部材２６を設ける。【００４５】  図６（Ｄ）は、前記腰つなぎ部材２６上に新たな擁壁ＰＣ板１ｄ、１ｅ、１ｆを積層した状態を示しており、図６（Ｅ）は、前記擁壁ＰＣ板１ｄ、１ｅ、１ｆが積層されて構成された連通する貫通穴３ｄ、３ｅ、３ｆにコンクリート２０を充填し、並列する各ガイド用鉄骨材１９の天端に頭つなぎ部材２７を設ける。
尚、上部地盤２５は、図６（Ａ）乃至図６（Ｅ）の工程で積層された擁壁２１により土留めされた宅地造成部を示している。【００４６】  斯くして、図６（Ａ）乃至図６（Ｅ）に於いて説明した擁壁２１の積層構造は、親杭１７に建て込まれたガイド用鉄骨材１９を利用して擁壁ＰＣ板１ａ、１ｂ、１ｃ・・・等を積層し、該擁壁ＰＣ板１ａ、１ｂ、１ｃ・・・の裏面中央に設けられた貫通穴３ａ、３ｂ、３ｃ・・・にコンクリート２０を充填して、擁壁パネルの支柱２８を構築するものであるが、擁壁ＰＣ板１ａ、１ｂ、１ｃ・・・等、積層枚数が増えた場合、即ち、擁壁の高さが高くなった場合等には、図７に示す如く、擁壁ＰＣ板１ａ、１ｂ、１ｃ・・・等の裏面からバックアンカー２９をアーム状に設け、該バックアンカー２９の先端部は安定地盤３０に設置されたアンカーウェイト３１に接続された構成を採用することにより、高さの高い擁壁も構築することが可能である。【００４７】  また、図８は、斜視図を用いて、横方向に伸びる擁壁ＰＣ板１の関係を図示したもので、本発明の擁壁パネル積層構造は、擁壁ＰＣ板１ａ、１ｂ、１ｃ・・・等の裏面から連結されるバックアンカー２９やアンカーウェイト３１を組み合わせて擁壁２１を構築可能で、擁壁ＰＣパネル１の組み合わせによっては、図９の様に入隅部３１（出隅部も可能）形状も構築可能である。【００４８】  斯くして、実施例２において、擁壁を構成する長方形型の擁壁ＰＣパネル１は、擁壁ＰＣパネル１の四隅で上下何れか一方の両側に水抜き穴９を形成する円パイプ四分の一形状の切り欠き部８ａ、８ｂを構成するとともに、該擁壁ＰＣパネル１の中央裏面部２内に親杭１７の上部が構成するガイド用鉄骨材１９がゆとりをもって挿入できる貫通穴３を有し、該貫通穴３の内部はその四隅を比較的大きなアール形状部４を構成するとともに、該貫通穴３は貫通穴３の上下から中心部に向かって四周から狭まるくの字形状部５を有している。【００４９】  前記擁壁ＰＣパネル１の貫通穴３にガイド用鉄骨材１９を挿入することで擁壁ＰＣパネル１を複数枚積層した状態を構築し、上部から前記貫通穴３にコンクリート２０を打設すると四周に凹凸形状を有する支柱２８が構築され、該支柱２８が積層された夫々の擁壁ＰＣパネル１の貫通穴３を貫いて擁壁ＰＣパネルの支柱２８になり、擁壁ＰＣパネルの積層を可能にしたものである。【００５０】  そして、前記、擁壁ＰＣパネル１の四隅で上下何れか一方の両側に水抜き穴９を形成する円パイプ四分の一形状の切り欠き部８ａ、８ｂは、該擁壁ＰＣパネルの積層時に夫々の擁壁ＰＣパネル１ａ、１ｂ、１ｃ、１ｄの上下を互い違いに組み合わせて積層して擁壁ＰＣパネルを縦二枚、横二枚積層した時に背面排水用の水抜き穴９を一つずつ形成可能であり、該水に抜き穴９は塩化ビニールやステンレスパイプ１０を挿入して擁壁ＰＣパネルの外部側に水勾配を有して挿着できるよう擁壁ＰＣパネルの外部側より内部側に沿って末広がりになる形状を有していることを特徴としている。【００５１】  斯くして、実施例２は、従来の擁壁ＰＣパネルにおいて、擁壁ＰＣパネルを親杭により支持する際に、その支持間隔が一般的に８０〜１５０ｃｍと小さく施工効率が良くないものであった点を改良して、夫々の擁壁ＰＣパネルをパネル中央の強度的に補強された貫通穴で支持することにより、該支柱を中心に左右均等に土圧がかかるように構成して擁壁ＰＣパネルピッチを２００ｃｍと大きく拡大した。そしてこの改良された擁壁ＰＣパネルのパネル幅は、狭隘な場所でも小型重機を用いて施工出来る最良の大きさを提供可能とした。【００５２】  また、実施例２は、プレキャスト・コンクリートにて、より製作し易い形状と擁壁ＰＣパネルの強度を追求した擁壁ＰＣパネルを提供するもので、特に本発明は、擁壁ＰＣパネルを複数枚積層することにより水抜き穴を形成できる形状を有した擁壁ＰＣパネルを製作して適切な背面排水を行い土圧の低減を図る構成に特徴があり、本発明は、前記擁壁ＰＣパネルの構成にて、迅速、且つ、効率の良い擁壁パネルの構築工事が可能となり、土木工事でありながら意匠性の高い仕上がりを有している擁壁ＰＣパネルの積層構造、及びその施工方法を提供可能とした。
【実施例３】
【００５３】  図６（Ｅ）は、実施例３を説明するものであり、実施例２において、擁壁２１を構成する長方形型の擁壁ＰＣ板１ａ、１ｂ、１ｃ・・・は、中央裏面突起部２に親杭１７の上部が構成するガイド用鉄骨材１９及び鉄筋（図示せず）の組み合わせ部材がゆとりをもって挿入できる貫通穴３ａ、３ｂ、３ｃ・・・を設けていたり、或いは、前記ガイドとなる部材が鉄筋による構成部材で構成され、該ガイド用鉄筋がゆとりを持って挿入できる貫通穴３ａ、３ｂ、３ｃ・・・を有しており、前記貫通穴３ａ、３ｂ、３ｃ・・・の内部は、その四隅を比較的大きなアール形状部４を構成して貫通穴の強度を強化するとともに  その中心部に向かって四周から狭まるくの字形状部５を有しており、前記擁壁ＰＣ板１ａ、１ｂ、１ｃ・・・と複数枚積層した状態で上部からコンクリート２０を打設すると四周に凹凸形状を有する支柱２８が構築され、該支柱２８が積層された夫々の擁壁ＰＣ板１ａ、１ｂ、１ｃ・・・の貫通穴３ａ、３ｂ、３ｃ・・・を貫いて擁壁ＰＣ板１ａ、１ｂ、１ｃ・・・の支柱２８になり、擁壁ＰＣパネル１の積層を行うものである。【００５４】  そして、前記、擁壁ＰＣパネル１の四隅で上下何れか一方の両側に水抜き穴９を形成する円パイプ四分の一形状の切り欠き部８ａ、８ｂは、該擁壁ＰＣパネルの積層時に夫々の擁壁ＰＣパネル１ａ、１ｂ、１ｃ、１ｄの上下を互い違いに組み合わせて積層して擁壁ＰＣパネルを縦二枚、横二枚積層した時に背面排水用の水抜き穴９を一つずつ形成可能であり、該水に抜き穴９は塩化ビニールやステンレスパイプ１０を挿入して擁壁ＰＣパネルの外部側に水勾配を有して挿着できるよう擁壁ＰＣパネルの外部側より内部側に沿って末広がりになる形状を有していることを特徴としている。【００５５】  斯くして、実施例３は、従来の擁壁ＰＣパネルにおいて、擁壁ＰＣパネルを親杭により支持する際に、その支持間隔が一般的に８０〜１５０ｃｍと小さく施工効率が良くないものであった点を改良して、夫々の擁壁ＰＣパネルをパネル中央の強度的に補強された貫通穴で支持することにより、該支柱を中心に左右均等に土圧がかかるように構成して擁壁ＰＣパネルピッチを２００ｃｍと大きく拡大した。そしてこの改良された擁壁ＰＣパネルのパネル幅は、狭隘な場所でも小型重機を用いて施工出来る最良の大きさを提供可能とした。【００５６】  また、実施例３は、プレキャスト・コンクリートにて、より製作し易い形状と擁壁ＰＣパネルの強度を追求した擁壁ＰＣパネルを提供するもので、特に本発明は、擁壁ＰＣパネルを複数枚積層することにより水抜き穴を形成できる形状を有した擁壁ＰＣパネルを製作して適切な背面排水を行い土圧の低減を図る構成に特徴があり、本発明は、前記擁壁ＰＣパネルの構成にて、迅速、且つ、効率の良い擁壁パネルの構築工事が可能となり、土木工事でありながら意匠性の高い仕上がりを有している擁壁ＰＣパネルの積層構造、及びその施工方法を提供可能とした。
【実施例４】
【００５７】  図６（Ｅ）は、実施例４を説明するものであり、実施例４において、擁壁を構成する長方形型の擁壁ＰＣ板１ａ、１ｂ、１ｃ・・・は、中央裏面に親杭基部１５に連通する貫通穴３ａ、３ｂ、３ｃ・・・を有し、該貫通穴３ａ、３ｂ、３ｃ・・・の内部は、その四隅を比較的大きなアール形状部４を構成して貫通穴の強度を強化するとともに、その中心部に向かって四周から狭まるくの字形状部５を有しており、前記擁壁ＰＣ板１ａ、１ｂ、１ｃ・・・を複数枚積層した状態で上部からコンクリート２０を打設すると四周に凹凸形状を有する支柱２８が構築され、該支柱２８が積層された夫々の擁壁ＰＣ板１ａ、１ｂ、１ｃ・・・の貫通穴３ａ、３ｂ、３ｃ・・・を貫いて擁壁ＰＣ板１ａ、１ｂ、１ｃ・・・の支柱２８になることで、擁壁パネルの積層を行うものである。【００５８】  そして、前記、擁壁ＰＣパネル１の四隅で上下何れか一方の両側に水抜き穴９を形成する円パイプ四分の一形状の切り欠き部８ａ、８ｂは、該擁壁ＰＣパネルの積層時に夫々の擁壁ＰＣパネル１ａ、１ｂ、１ｃ、１ｄの上下を互い違いに組み合わせて積層して擁壁ＰＣパネルを縦二枚、横二枚積層した時に背面排水用の水抜き穴９を一つずつ形成可能であり、該水に抜き穴９は塩化ビニールやステンレスパイプ１０を挿入して擁壁ＰＣパネルの外部側に水勾配を有して挿着できるよう擁壁ＰＣパネルの外部側より内部側に沿って末広がりになる形状を有していることを特徴としている。【００５９】  斯くして、実施例４は、従来の擁壁ＰＣパネルにおいて、擁壁ＰＣパネルを親杭により支持する際に、その支持間隔が一般的に８０〜１５０ｃｍと小さく施工効率が良くないものであった点を改良して、夫々の擁壁ＰＣパネルをパネル中央の強度的に補強された貫通穴で支持することにより、該支柱を中心に左右均等に土圧がかかるように構成して擁壁ＰＣパネルピッチを２００ｃｍと大きく拡大した。そしてこの改良された擁壁ＰＣパネルのパネル幅は、狭隘な場所でも小型重機を用いて施工出来る最良の大きさを提供可能とした。【００６０】  また、実施例４は、プレキャスト・コンクリートにて、より製作し易い形状と擁壁ＰＣパネルの強度を追求した擁壁ＰＣパネルを提供するもので、特に本発明は、擁壁ＰＣパネルを複数枚積層することにより水抜き穴を形成できる形状を有した擁壁ＰＣパネルを製作して適切な背面排水を行い土圧の低減を図る構成に特徴があり、本発明は、前記擁壁ＰＣパネルの構成にて、迅速、且つ、効率の良い擁壁パネルの構築工事が可能となり、土木工事でありながら意匠性の高い仕上がりを有している擁壁ＰＣパネルの積層構造、及びその施工方法を提供可能とした。
【産業上の利用可能性】
【００６１】斯くして、本発明は、狭隘な場所や地域の傾斜地に宅地を造成する際に、より施工しやすい構成で、土木工事でありながら意匠性の高い仕上がりを有している擁壁パネルの積層構造、及びその施工方法を提供するものであり、産業上の利用可能性は多大なものがある。
【符号の説明】
【００６２】  １  １ａ、１ｂ、１ｃ・・・擁壁ＰＣパネル
２  突部
３  ３ａ、３ｂ、３ｃ・・・貫通穴
４  アール形状部
５  くの字形状部
６  施工用デーハ
７ａ、７ｂ  ガイドピン
８ａ、８ｂ  切り欠き部
９  水抜き穴
１０  パイプ
１１  裏込めモルタル
１２  貫通穴四周枠
１３  支柱形成部材
１４  コンクリートの塊
１５  接地面
１６  圧縮力
１７  親杭
１８  基台
１９  ガイド用鉄骨材
２０  コンクリート
２１  擁壁
２２  土圧
２３  変形動作
２４  下部地盤
２５  上部地盤
２６  腰つなぎ部材
２７  頭つなぎ部材
２８  支柱
２９  バックアンカー
３０  安定地盤
３１  アンカーウェイト
３２  入隅部
【図１】
2012041803.tif 000003
【図２】
2012041803.tif 000004
【図３】
2012041803.tif 000005
【図４】
2012041803.tif 000006
【図５】
2012041803.tif 000007
【図６】
2012041803.tif 000008
【図６】
2012041803.tif 000009
【図６】
2012041803.tif 000010
【図７】
2012041803.tif 000011
【図８】
2012041803.tif 000012
【手続補正書】
【提出日】平成22年10月9日(2010.10.9)
【手続補正１】
【補正対象書類名】明細書
【補正対象項目名】００２３
【補正方法】変更
【補正の内容】
【００２３】
【図１】(Ａ)  本発明に使用される擁壁ＰＣパネルの形状を示す平面図である。           (Ｂ)  本発明に使用される擁壁ＰＣパネルの形状を示す正面図である。
【図２】(Ａ)  本発明の擁壁ＰＣパネルを４枚積層した状態を示す正面図である。           (Ｂ)  図２（Ａ）の要部側面図である。
【図３】(Ａ) 本発明の擁壁ＰＣパネル中央裏面に設けられる貫通穴の形状を示す断面                  図である。          （Ｂ）本発明の擁壁ＰＣパネル貫通穴が造るコンクリート塊の説明図である。(Ｃ)  本発明の擁壁ＰＣパネル貫通穴が造るコンクリート塊の説明図である。
【図４】(Ａ)  本発明の擁壁ＰＣパネル貫通穴に打設されるコンクリート支柱の形状説                      明図である。(Ｂ)  図４（Ａ）の想像線内拡大説明図である。(Ｃ)  本発明の擁壁ＰＣパネル貫通穴に打設されるコンクリート支柱の説明図である。
【図５】(Ａ)  本発明の擁壁ＰＣパネル貫通穴に打設されるコンクリート支柱の形状説                明図である。(Ｂ)  図５（Ａ）における変形の形を示す説明図である。
【図６】(Ａ)  本発明の擁壁ＰＣパネルを立設する支柱の施工手順説明図である。(Ｂ)  本発明の擁壁ＰＣパネルを打設する支柱の施工手順説明図である。(Ｃ)  本発明の擁壁ＰＣパネルを立設する支柱の施工手順説明図である。(Ｄ)  本発明の擁壁ＰＣパネルを立設する支柱の施工手順説明図である。(Ｅ)  本発明の擁壁ＰＣパネルを立設する支柱の施工手順説明図である。
【図７】本発明の擁壁積層工事を説明する断面図である。
【図８】本発明の擁壁工事例を説明する斜視説明図である。
【手続補正２】
【補正対象書類名】図面
【補正対象項目名】全図
【補正方法】変更
【補正の内容】
【図１】
2012041803.tif 000013
【図２】
2012041803.tif 000014
【図３】
2012041803.tif 000015
【図４】
2012041803.tif 000016
【図５】
2012041803.tif 000017
【図６−１】
2012041803.tif 000018
【図６−２】
2012041803.tif 000019
【図６−３】
2012041803.tif 000020
【図７】
2012041803.tif 000021
【図８】
2012041803.tif 000022